(57)【要約】【課題】電気泳動表示装置において、高品位な画像を表示すると共に、低消費電力化を図る。【解決手段】電気泳動表示装置は、第１のデータ線（５１）からの画像信号を、走査信号に応じて出力する第１のスイッチング素子（２４ａ）と、画素電極に接続された容量素子を含んでなり、第１のスイッチング素子から出力される画像信号を保持する第１のメモリー回路（２７ａ）と、第１のメモリー回路に保持された画像信号に応じて、第１のメモリー回路に第１の容量線を電気的に接続する第２のスイッチング素子（２６ａ）と、第２のデータ線からの反転画像信号を、走査信号に応じて出力する第３のスイッチング素子（２４ｂ）と、第３のスイッチング素子から出力される反転画像信号を保持する第２のメモリー回路（２７ｂ）と、第２のメモリー回路に保持された反転画像信号に応じて、第１のメモリー回路に第２の容量線を電気的に接続する第４のスイッチング素子（２６ｂ）とを備える。【選択図】図２
2011141390.tif 000002
【特許請求の範囲】
【請求項１】
電気泳動素子を一対の基板間に挟持してなり、複数の画素からなる表示部を備えた電気泳動表示装置であって、
前記画素毎に形成された画素電極と、
前記画素電極に前記電気泳動素子を介して対向する共通電極と、
走査信号を供給する走査線と、
画像信号を供給する第１のデータ線と、
前記画素毎に設けられ、前記第１のデータ線から入力される前記画像信号を、前記走査信号に応じて出力する第１のスイッチング素子と、
前記画素電極に電気的に接続された容量素子を含んでなり、前記第１のスイッチング素子から出力される前記画像信号を保持する第１のメモリー回路と、
第１の容量電位を供給する第１の容量線と、
前記第１のメモリー回路に保持された前記画像信号に応じて、前記第１のメモリー回路に前記第１の容量線を電気的に接続する第２のスイッチング素子と、
前記画像信号を基準電位に対して極性反転させた反転画像信号を供給する第２のデータ線と、
前記画素毎に設けられ、前記第２のデータ線から入力される前記反転画像信号を、前記走査信号に応じて出力する第３のスイッチング素子と、
前記第３のスイッチング素子から出力される前記反転画像信号を保持する第２のメモリー回路と、
第２の容量電位を供給する第２の容量線と、
前記第２のメモリー回路に保持された前記反転画像信号に応じて、前記第１のメモリー回路に前記第２の容量線を電気的に接続する第４のスイッチング素子と
を備えることを特徴とする電気泳動表示装置。
【請求項２】
前記第１の容量線及び前記第２の容量線の少なくとも一方を駆動する容量線駆動手段を備えることを特徴とする請求項１に記載の電気泳動表示装置。
【請求項３】
前記容量線駆動手段は、前記第１の容量線及び前記第２の容量線の両方を駆動することを特徴とする請求項１又は２に記載の電気泳動表示装置。
【請求項４】
前記容量線駆動手段は、前記走査信号が選択状態レベルとなっている選択期間には、前記第１の容量電位として低電位を前記第１の容量線に供給し、前記選択期間の後に、前記第１の容量電位として前記低電位よりも高い高電位を前記第１の容量線に供給することを特徴とする請求項２又は３に記載の電気泳動表示装置。
【請求項５】
前記容量線駆動手段は、前記第１の容量電位として前記走査信号と相補関係にある電位信号を前記第１の容量線に供給することを特徴とする請求項２又は３に記載の電気泳動表示装置。
【請求項６】
電気泳動素子を一対の基板間に挟持してなり、複数の画素からなる表示部を備えた電気泳動表示装置であって、前記画素毎に形成された画素電極と、前記画素電極に前記電気泳動素子を介して対向する共通電極と、走査信号を供給する走査線と、画像信号を供給する第１のデータ線と、前記画素毎に設けられ、前記第１のデータ線から入力される前記画像信号を、前記走査信号に応じて出力する第１のスイッチング素子と、前記画素電極に電気的に接続された容量素子を含んでなり、前記第１のスイッチング素子から出力される前記画像信号を保持する第１のメモリー回路と、第１の容量電位を供給する第１の容量線と、前記第１のメモリー回路に保持された前記画像信号に応じて、前記第１のメモリー回路に前記第１の容量線を電気的に接続する第２のスイッチング素子と、前記画像信号を基準電位に対して極性反転させた反転画像信号を供給する第２のデータ線と、前記画素毎に設けられ、前記第２のデータ線から入力される前記反転画像信号を、前記走査信号に応じて出力する第３のスイッチング素子と、前記第３のスイッチング素子から出力される前記反転画像信号を保持する第２のメモリー回路と、第２の容量電位を供給する第２の容量線と、前記第２のメモリー回路に保持された前記反転画像信号に応じて、前記第１のメモリー回路に前記第２の容量線を電気的に接続する第４のスイッチング素子とを備える電気泳動表示装置を駆動する電気泳動表示装置の駆動方法であって、
前記第１のデータ線から前記第１のスイッチング素子を介して前記第１のメモリー回路に前記画像信号を書き込むと共に、前記第２のデータ線から前記第３のスイッチング素子を介して前記第２のメモリー回路に前記反転画像信号を書き込む第１の工程と、
前記第１の容量線及び前記第２の容量線の少なくとも一方を駆動する第２の工程と
を含むことを特徴とする電気泳動表示装置の駆動方法。
【請求項７】
請求項１から５のいずれか一項に記載の電気泳動表示装置を備えることを特徴とする電子機器。
【発明の詳細な説明】
【技術分野】
【０００１】
本発明は、電気泳動表示装置及びその駆動方法並びに電子機器の技術分野に関する。
【背景技術】
【０００２】
この種の電気泳動表示装置として、画素スイッチング素子として機能する１つのＴＦＴ（Thin Film Transistor）と、メモリー回路として機能する１つの容量素子（即ち、キャパシタ）とを含んで構成された画素回路（いわゆる１Ｔ１Ｃ型の画素回路）を備えるものがある。このような電気泳動表示装置では、データ線から画像信号を、画素スイッチング素子としてのＴＦＴを介してメモリー回路としての容量素子に書き込み、この容量素子に書き込まれた画像信号に応じた電位により画素電極が駆動され、共通電極との間に電位差が生じる。これによって、画素電極及び共通電極間の電気泳動素子に含まれる電気泳動粒子を、画素電極側或いは共通電極側に移動させることにより表示を行う。
【０００３】
ところで、電気泳動表示装置には、適用される電子機器の特性面や環境面等から、低消費電力化が求められている。一方、データ線は高い周波数で駆動され、且つ、電気泳動素子の駆動には高い電圧が必要であるため、データ線には高い電圧を有する画像信号が供給されるのが一般的である。
【０００４】
このような低消費電力化の要請に応えるために、例えば特許文献１では、液晶表示装置において、画素毎に設けられた容量素子にデータ線を介して低電圧の画像信号を書き込んだ後、容量素子の一方の容量電極の電位を容量線駆動回路によって高電位側に変動させることにより、容量素子の他方の容量電極に電気的に接続された画素電極の電位を高める技術が提案されている。また、例えば特許文献２では、液晶表示装置において、画素毎に設けられた容量素子にデータ線を介して低電圧の画像信号を書き込んだ後、低電位に維持される低電位容量線と高電位に維持される高電位容量線とのいずれかを択一的に選択して、容量素子の一方の容量電極に電気的に接続する技術が提案されている。
【先行技術文献】
【特許文献】
【０００５】
【特許文献１】特開２００１−２５５８５１号公報
【特許文献２】特開２００２−１９６３５８号公報
【発明の概要】
【発明が解決しようとする課題】
【０００６】
しかしながら、上述した特許文献１及び２に開示された技術によれば、容量素子に書き込まれた画像信号が低電位であるか高電位であるかによらず、複数の画素について一律に、容量素子の一方の容量電極の電位が変動する。このため、上述した特許文献１や２に開示された技術を電気泳動表示装置に適用しようとする場合、例えば、共通電極の電位と同一の電位の画像信号が容量素子に書き込まれた画素についても、容量素子の一方の容量電極の電位が変動することにより、画素電極と共通電極との間に電位差が生じてしまい、電気泳動粒子が画素電極及び共通電極間で移動してしまうおそれがある。この結果、表示画像のコントラストが低下してしまうおそれがある。
【０００７】
本発明は、例えば上述した問題点に鑑みなされたものであり、例えば、高品位な画像を表示できると共に、低消費電力化を図ることが可能な電気泳動表示装置及びその駆動方法並びに該電気泳動表示装置を備えた電子機器を提供することを課題とする。
【課題を解決するための手段】
【０００８】
本発明の電気泳動表示装置は上記課題を解決するために、電気泳動素子を一対の基板間に挟持してなり、複数の画素からなる表示部を備えた電気泳動表示装置であって、前記画素毎に形成された画素電極と、前記画素電極に前記電気泳動素子を介して対向する共通電極と、走査信号を供給する走査線と、画像信号を供給する第１のデータ線と、前記画素毎に設けられ、前記第１のデータ線から入力される前記画像信号を、前記走査信号に応じて出力する第１のスイッチング素子と、前記画素電極に電気的に接続された容量素子を含んでなり、前記第１のスイッチング素子から出力される前記画像信号を保持する第１のメモリー回路と、第１の容量電位を供給する第１の容量線と、前記第１のメモリー回路に保持された前記画像信号に応じて、前記第１のメモリー回路に前記第１の容量線を電気的に接続する第２のスイッチング素子と、前記画像信号を基準電位に対して極性反転させた反転画像信号を供給する第２のデータ線と、前記画素毎に設けられ、前記第２のデータ線から入力される前記反転画像信号を、前記走査信号に応じて出力する第３のスイッチング素子と、前記第３のスイッチング素子から出力される前記反転画像信号を保持する第２のメモリー回路と、第２の容量電位を供給する第２の容量線と、前記第２のメモリー回路に保持された前記反転画像信号に応じて、前記第１のメモリー回路に前記第２の容量線を電気的に接続する第４のスイッチング素子とを備える。
【０００９】
本発明の電気泳動表示装置によれば、その動作時には、一対の基板間に挟持された電気泳動素子に、画素毎に、一対の基板のうち例えば素子基板である一方の基板上に画素毎に形成された画素電極と、一対の基板のうち例えば対向基板である他方の基板上に例えばベタ状に設けられた例えば共通電極との間に画像信号に応じた電圧が印加されることにより、表示部に画像が表示される。
【００１０】
より具体的には、例えばマイクロカプセルである電気泳動素子の内部には、電気泳動粒子として、例えば負に帯電された複数の白色粒子と正に帯電された複数の黒色粒子とが含まれている。電気泳動素子では、画素電極及び共通電極間に印加される電圧に応じて、負に帯電された複数の白色粒子及び正に帯電された複数の黒色粒子のうち一方が画素電極側に移動（即ち、泳動）し、他方が共通電極側に移動する。これにより、移動された電気泳動粒子に応じた画像が一対の基板のうち他方の基板側（即ち、共通電極側）に表示される。
【００１１】
画像信号は、画素毎に、第１のデータ線によって供給される。また、第２のデータ線からは、画素毎に、画像信号を基準電位に対して極性反転させた反転画像信号（言い換えれば、画像信号と相補関係にある信号、即ち、画像信号の電位を、異なる色調を表示させるための電位に反転させた信号、例えば、画像信号の電位がハイレベル（例えば５Ｖ）である場合には、ローレベル（例えば０Ｖ）の電位を有すると共に、画像信号の電位がローレベル（例えば０Ｖ）である場合には、ハイレベル（例えば５Ｖ）の電位を有する信号）が供給される。第１及び第２のデータ線は、例えば一対の基板のうち一方の基板上に、走査信号を供給する走査線と互いに交差するように設けられている。画素電極は、例えば第１及び第２のデータ線と走査線との交差に対応してマトリクス状に複数設けられている。
【００１２】
本発明では特に、画素毎に、４つのスイッチング素子（即ち、第１、第２、第３及び第４のスイッチング素子）と、２つのメモリー回路（即ち、第１及び第２のメモリー回路）とを備えている。第１のデータ線に供給される画像信号は、走査線に供給される走査信号のタイミングに応じて、例えばトランジスターからなる第１のスイッチング素子によって、容量素子を含んでなる第１のメモリー回路に出力される。これにより、第１のメモリー回路に画像信号が保持される。第２のスイッチング素子は、第１のメモリー回路に保持された画像信号に応じて、第１の容量線から入力される第１の容量電位を、第１のメモリー回路に含まれる容量素子を構成する一対の容量電極のうち画素電極に接続された一方の容量電極とは異なる他方の容量電極に出力する。例えば、第１のメモリー回路に保持された画像信号の電位がハイレベルである場合には、第２のスイッチング素子はオン状態とされ、第１の容量線から第１の容量電位が第２のスイッチング素子を介して第１のメモリー回路に含まれる容量素子の他方の容量電極に供給され、第１のメモリー回路に保持された画像信号の電位がローレベルである場合には、第２のスイッチング素子はオフ状態とされ、第１の容量線と第１のメモリー回路との間は第２のスイッチング素子によって電気的に切断される。一方、第２のデータ線に供給される反転画像信号は、走査線に供給される走査信号のタイミングに応じて、例えばトランジスターからなる第３のスイッチング素子によって、例えば容量素子を含んでなる第２のメモリー回路に出力される。これにより、第２のメモリー回路に反転画像信号が保持される。第４のスイッチング素子は、第２のメモリー回路に保持された反転画像信号に応じて、第２の容量線から入力される第２の容量電位を、第１のメモリー回路に含まれる容量素子の他方の容量電極に出力する。例えば、第２のメモリー回路に保持された反転画像信号の電位がハイレベルである場合には、第４のスイッチング素子はオン状態とされ、第２の容量線から第２の容量電位が第４のスイッチング素子を介して第１のメモリー回路に含まれる容量素子の他方の容量電極に供給され、第２のメモリー回路に保持された反転画像信号の電位がローレベルである場合には、第４のスイッチング素子はオフ状態とされ、第２の容量線と第１のメモリー回路との間は第４のスイッチング素子によって電気的に切断される。ここで、反転画像信号は画像信号を基準電位に対して極性反転させた信号であり、第２のスイッチング素子は第１のメモリー回路に保持された画像信号によってオン状態及びオフ状態が切り換えられ、第４のスイッチング素子は第２のメモリー回路に保持された反転画像信号によってオン状態及びオフ状態が切り換えられるので、第２のスイッチング素子と第４のスイッチング素子とではオン状態及びオフ状態が互いに異なる。即ち、第２のスイッチング素子がオン状態の場合には、第４のスイッチング素子はオフ状態となり、第２のスイッチング素子がオフ状態の場合には、第４のスイッチング素子はオン状態となる。
【００１３】
よって、第１の容量電位又は第２の容量電位を、画像信号に応じて、第１のメモリー回路に含まれる容量素子の他方の容量電極に供給することが可能となる。
【００１４】
更に、第１及び第２の容量電位を制御することにより、第１のメモリー回路に含まれる容量素子の他方の容量電極の電位を制御することができるので、第１のメモリー回路に含まれる容量素子の一方の電極に電気的に接続された画素電極の電位を制御することができる。よって、例えば、第１の容量電位が低電位（例えば０Ｖ）から高電位（例えば１０Ｖ）に変動すると共に、第２の容量電位が低電位（例えば０Ｖ）で維持するように、第１及び第２の容量電位を制御することで、ハイレベル（例えば５Ｖ）の画像信号が供給された画素の画素電極の電位を高めることができると共に、ローレベル（例えば０Ｖ）の画像信号が供給された画素の画素電極の電位を維持することができる。
【００１５】
このように、第１の容量電位及び第２の容量電位を制御することにより、画素電極の電位を高めることができるので、データ線が供給する画像信号の電位を低くすることが可能となる。よって、当該電気泳動表示装置の低消費電力化を図ることが可能となる。
【００１６】
更に、本発明によれば、第１及び第２の容量電位を上述したように制御することで、ハイレベル（例えば５Ｖ）の画像信号が供給された画素の画素電極の電位を高めることができると共に、ローレベル（例えば０Ｖ）の画像信号が供給された画素の画素電極の電位を維持することができるので、表示画像のコントラストの低下は殆ど或いは全く生じない。よって、高品位な画像を表示することが可能となる。
【００１７】
以上説明したように、本発明の電気泳動表示装置によれば、高品位な画像を表示できると共に、低消費電力化を図ることができる。
【００１８】
本発明の電気泳動表示装置の一態様では、前記第１の容量線及び前記第２の容量線の少なくとも一方を駆動する容量線駆動手段を備える。
【００１９】
この態様によれば、容量線駆動手段によって、第１の容量電位及び第２の容量電位の少なくとも一方を変動させることができ、画素電極の電位を制御することができる。
【００２０】
本発明の電気泳動表示装置の他の態様では、前記容量線駆動手段は、前記第１の容量線及び前記第２の容量線の両方を駆動する。
【００２１】
この態様によれば、容量線駆動手段によって、第１の容量電位及び第２の容量電位の両方を変動させることができる。よって、例えば、ハイレベルの画像信号が供給された画素の画素電極の電位を高めることができると共に、ローレベルの画像信号が供給された画素の画素電極の電位を低めることができる。
【００２２】
上述した容量線駆動手段を備える態様では、前記容量線駆動手段は、前記走査信号が選択状態レベルとなっている選択期間には、前記第１の容量電位として低電位を前記第１の容量線に供給し、前記選択期間の後に、前記第１の容量電位として前記低電位よりも高い高電位を前記第１の容量線に供給する。
【００２３】
この場合には、例えば、ハイレベル（例えば５Ｖ）の画像信号が供給された画素の画素電極の電位を確実に高めることができる。
【００２４】
上述した容量線駆動手段を備える態様では、前記容量線駆動手段は、前記第１の容量電位として前記走査信号と相補関係にある電位信号を前記第１の容量線に供給する。
【００２５】
この場合には、例えば、ハイレベル（例えば５Ｖ）の画像信号が供給された画素の画素電極の電位を確実に高めることができる。更に、電位信号は走査信号と相補関係にあるので、電位信号を作りやすいという実践上のメリットもある。ここで、電位信号と走査信号とが相補関係にあるとは、走査信号の電位が所定の基準電位よりも高い期間中には電位信号の電位が所定の基準電位よりも低く、走査信号の電位が所定の基準電位よりも低い期間中には電位信号の電位が所定の基準電位よりも高いことを意味する。
【００２６】
本発明に係る電気泳動表示装置の駆動方法は上記課題を解決するために、電気泳動素子を一対の基板間に挟持してなり、複数の画素からなる表示部を備えた電気泳動表示装置であって、前記画素毎に形成された画素電極と、前記画素電極に前記電気泳動素子を介して対向する共通電極と、走査信号を供給する走査線と、画像信号を供給する第１のデータ線と、前記画素毎に設けられ、前記第１のデータ線から入力される前記画像信号を、前記走査信号に応じて出力する第１のスイッチング素子と、前記画素電極に電気的に接続された容量素子を含んでなり、前記第１のスイッチング素子から出力される前記画像信号を保持する第１のメモリー回路と、第１の容量電位を供給する第１の容量線と、前記第１のメモリー回路に保持された前記画像信号に応じて、前記第１のメモリー回路に前記第１の容量線を電気的に接続する第２のスイッチング素子と、前記画像信号を基準電位に対して極性反転させた反転画像信号を供給する第２のデータ線と、前記画素毎に設けられ、前記第２のデータ線から入力される前記反転画像信号を、前記走査信号に応じて出力する第３のスイッチング素子と、前記第３のスイッチング素子から出力される前記反転画像信号を保持する第２のメモリー回路と、第２の容量電位を供給する第２の容量線と、前記第２のメモリー回路に保持された前記反転画像信号に応じて、前記第１のメモリー回路に前記第２の容量線を電気的に接続する第４のスイッチング素子とを備える電気泳動表示装置を駆動する電気泳動表示装置の駆動方法であって、前記第１のデータ線から前記第１のスイッチング素子を介して前記第１のメモリー回路に前記画像信号を書き込むと共に、前記第２のデータ線から前記第３のスイッチング素子を介して前記第２のメモリー回路に前記反転画像信号を書き込む第１の工程と、前記第１の容量線及び前記第２の容量線の少なくとも一方を駆動する第２の工程とを含む。
【００２７】
本発明に係る電気泳動表示装置の駆動方法によれば、上述した本発明に係る電気泳動表示装置を好適に駆動することができる。ここで特に、第２の工程において、第１の容量線及び第２の容量線の少なくとも一方を駆動することにより、画素電極の電位を高めることができるので、データ線が供給する画像信号の電位を低くすることが可能となる。よって、電気泳動表示装置の低消費電力化を図ることが可能となる。
【００２８】
本発明の電子機器は上記課題を解決するために、上述した本発明の電気泳動表示装置を備える。
【００２９】
本発明の電子機器によれば、上述した本発明の電気泳動表示装置を具備してなるので、消費電力が低減され、高品位な表示を行うことが可能な、例えば、腕時計、電子ペーパー、電子ノート、携帯電話、携帯用オーディオ機器などの各種電子機器を実現できる。
【００３０】
本発明の作用及び他の利得は次に説明する発明を実施するための形態から明らかにされる。
【図面の簡単な説明】
【００３１】
【図１】第１実施形態に係る電気泳動表示装置の全体構成を示すブロック図である。
【図２】第１実施形態に係る電気泳動表示装置の画素の構成を示す等価回路図である。
【図３】第１実施形態に係る電気泳動表示装置の表示部の部分断面図である。
【図４】マイクロカプセルの構成を示す模式図である。
【図５】第１実施形態に係る電気泳動表示装置の表示動作の一例を説明するためのフローチャートである。
【図６】第１実施形態に係る電気泳動表示装置の表示動作の一例を示すタイミングチャート（その１）である。
【図７】第１実施形態に係る電気泳動表示装置の表示動作の一例を示すタイミングチャート（その２）である。
【図８】第１実施形態における、ハイレベルの画像信号が書き込まれる画素における画素電極の電位を説明するための模式図である。
【図９】第１実施形態における、ローレベルの画像信号が書き込まれる画素における画素電極の電位を説明するための模式図である。
【図１０】第２実施形態に係る電気泳動表示装置における走査線及び第１の容量線の各々の電位の変動を示すタイミングチャートである。
【図１１】第３実施形態に係る電気泳動表示装置の表示動作の一例を説明するためのフローチャートである。
【図１２】第３実施形態に係る電気泳動表示装置の表示動作の一例を示すタイミングチャートである。
【図１３】第３実施形態における、ハイレベルの画像信号が書き込まれる画素における画素電極の電位を説明するための模式図である。
【図１４】第３実施形態における、ローレベルの画像信号が書き込まれる画素における画素電極の電位を説明するための模式図である。
【図１５】電気泳動表示装置を適用した電子機器の一例たる電子ペーパーの構成を示す斜視図である。
【図１６】電気泳動表示装置を適用した電子機器の一例たる電子ノートの構成を示す斜視図である。
【発明を実施するための形態】
【００３２】
以下では、本発明の実施形態について図を参照しつつ説明する。
【００３３】
＜第１実施形態＞
第１実施形態に係る電気泳動表示装置について、図１から図９を参照して説明する。
【００３４】
先ず、本実施形態に係る電気泳動表示装置の全体構成について、図１及び図２を参照して説明する。
【００３５】
図１は、本実施形態に係る電気泳動表示装置の全体構成を示すブロック図である。
【００３６】
図１において、本実施形態に係る電気泳動表示装置１は、表示部３と、コントローラー１０と、走査線駆動回路６０と、データ線駆動回路７０と、容量線駆動回路２１０と、共通電位供給回路２２０とを備えている。尚、容量線駆動回路２１０は本発明に係る「容量線駆動手段」の一例である。
【００３７】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本の第１データ線５１（即ち、第１データ線Ｘ１ａ、Ｘ２ａ、…、Ｘｎａ）及びｎ本の第２データ線５２（即ち、第２データ線Ｘ１ｂ、Ｘ２ｂ、…、Ｘｎｂ）とが互いに交差するように設けられている。具体的には、ｍ本の走査線４０は、行方向（即ち、Ｘ方向）に延在し、ｎ本の第１データ線５１及び第２データ線５２は、列方向（即ち、Ｙ方向）に延在している。ｍ本の走査線４０とｎ本の第１データ線５１及び第２データ線５２との交差に対応して画素２０が配置されている。
【００３８】
更に、表示部３には、ｍ本の第１の容量線９４（即ち、第１の容量線ＣＬａ１、ＣＬａ２、…、ＣＬａｍ）と、ｍ本の第２の容量線９５（即ち、第２の容量線ＣＬｂ１、ＣＬｂ２、…、ＣＬｂｍ）とが、それぞれ、ｍ本の走査線４０に対応して設けられており、行方向に延在している。具体的には、第１の容量線ＣＬａｋ及び第２の容量線ＣＬｂｋ（但し、ｋ＝１、２、…、ｍ）は、走査線Ｙｋ（但し、ｋ＝１、２、…、ｍ）に対応して設けられ、走査線Ｙｋに電気的に接続されたｎ個の画素２０に共通接続されている。
【００３９】
コントローラー１０は、走査線駆動回路６０、データ線駆動回路７０、容量線駆動回路２１０及び共通電位供給回路２２０の動作を制御する。具体的には、コントローラー１０は、例えばクロック信号、スタートパルス等のタイミング信号を各回路に供給する。尚、コントローラー１０は、図２を参照して後述するスイッチ９３ｓ、９４ｓ及び９５ｓのオンオフ状態も制御する。
【００４０】
走査線駆動回路６０は、コントローラー１０から供給されるタイミング信号に基づいて、走査線Ｙ１、Ｙ２、…、Ｙｍの各々に走査信号をパルス的に順次供給する。
【００４１】
データ線駆動回路７０は、コントローラー１０から供給されるタイミング信号に基づいて、第１データ線Ｘ１ａ、Ｘ２ａ、…、Ｘｎａに画像信号を供給する。画像信号は、ハイレベル（即ち、高電位レベル、例えば５Ｖ）又はローレベル（即ち、低電位レベル、例えば０Ｖ）の２値的なレベルをとる。データ線駆動回路７０は更に、コントローラー１０から供給されるタイミング信号に基づいて、第２データ線Ｘ１ｂ、Ｘ２ｂ、…、Ｘｎｂに反転画像信号を供給する。反転画像信号は、画像信号の２値的なレベルを反転させた信号であり、例えば画像信号がハイレベルの場合は、反転画像信号はローレベルであり、画像信号がローレベルの場合は、反転画像信号はハイレベルである。即ち、反転画像信号もハイレベル又はローレベルの２値的なレベルをとる。例えば、画像信号が、ハイレベルとして５Ｖの電位をとり、ローレベルとして０Ｖの電位をとる場合には、反転画像信号は、２．５Ｖを基準電位として極性を反転させた信号である。
【００４２】
容量線駆動回路２１０は、第１の容量線９４に第１の容量電位Ｖｃ１を供給し、第２の容量線９５に第２の容量電位Ｖｃ２を供給する。尚、ここでは図示を省略するが、第１の容量線９４及び第２の容量線９５の各々は、電気的なスイッチ（即ち、図２を参照して後述するスイッチ９４ｓ及び９５ｓ）を介して電源回路２１０に電気的に接続されている。
【００４３】
共通電位供給回路２２０は、共通電位線９３に共通電位Ｖｃｏｍを供給する。尚、ここでは図示を省略するが、共通電位線９３は、電気的なスイッチ（即ち、図２を参照して後述するスイッチ９３ｓ）を介して共通電位供給回路２２０に電気的に接続されている。
【００４４】
尚、コントローラー１０、走査線駆動回路６０、データ線駆動回路７０、容量線駆動回路２１０及び共通電位供給回路２２０には、各種の信号が入出力されるが、本実施形態と特に関係のないものについては説明を省略する。
【００４５】
図２は、画素の電気的な構成を示す等価回路図である。
【００４６】
図２において、画素２０は、画素電極２１と、画素電極２１と互いに対向するように配置された共通電極２２と、画素電極２１及び共通電極２２間に設けられた電気泳動素子２３と、第１の選択用トランジスター２４ａと、第２の選択用トランジスター２４ｂと、第１のキャパシター２７ａと、第２のキャパシター２７ｂと、第１の制御用トランジスター２６ａと、第２の制御用トランジスター２６ｂとを備えている。尚、第１の選択用トランジスター２４ａは、本発明に係る「第１のスイッチング素子」の一例であり、第２の選択用トランジスター２４ｂは、本発明に係る「第３のスイッチング素子」の一例であり、第１のキャパシター２７ａは、本発明に係る「第１のメモリー回路」の一例であり、第２のキャパシター２７ｂは、本発明に係る「第２のメモリー回路」の一例であり、第１の制御用トランジスター２６ａは、本発明に係る「第２のスイッチング素子」の一例であり、第２の制御用トランジスター２６ｂは、本発明に係る「第４のスイッチング素子」の一例である。
【００４７】
第１の選択用トランジスター２４ａは、アモルファス半導体を用いて、Ｎチャネル型のトランジスタとして形成されている。第１の選択用トランジスター２４ａは、そのゲートが走査線４０に電気的に接続されており、そのソースが第１データ線５１に電気的に接続されており、そのドレインが第１のキャパシター２７ａに電気的に接続されている。第１の選択用トランジスター２４ａは、データ線駆動回路７０（図１参照）から第１データ線５１を介して供給される画像信号を、走査線駆動回路６０（図１参照）から走査線４０を介してパルス的に供給される走査信号に応じたタイミングで、第１のキャパシター２７ａに入力する。これにより、第１のキャパシター２７ａに画像信号が書き込まれる。
【００４８】
第１のキャパシター２７ａは、画像信号を保持するための容量素子である。第１のキャパシター２７ａの一方の容量電極は、第１の選択用トランジスター２４ａのドレイン、画素電極２１及び第１の制御用トランジスター２６ａのゲートに電気的に接続されている。第１のキャパシター２７ａの他方の容量電極は、第１の制御用トランジスター２６ａのドレインに電気的に接続されている。
【００４９】
第１の制御用トランジスター２６ａは、アモルファス半導体を用いて、Ｎチャネル型のトランジスタとして形成されている。第１の制御用トランジスター２６ａは、そのゲートが第１のキャパシター２７ａの一方の容量電極、第１の選択用トランジスター２４ａのドレイン及び画素電極２１に電気的に接続されており、そのソースが第１の容量線９４に電気的に接続されており、そのドレインが第１のキャパシター２７ａの他方の容量電極に電気的に接続されている。第１の制御用トランジスター２６ａは、容量線駆動回路２１０（図１参照）から第１の容量線９４を介して供給される第１の容量電位Ｖｃ１を、第１のキャパシター２７ａに保持された画像信号の電位に応じて、第１のキャパシターの２７ａの他方の容量電極に出力する。例えば、第１のキャパシター２７ａに保持された画像信号がハイレベルである場合には、第１の制御用トランジスター２６ａはオン状態とされ、第１の容量線９４から第１の容量電位Ｖｃ１が、オン状態とされた第１の制御用トランジスター２６ａを介して第１のキャパシター２７ａの他方の容量電極に供給される。一方、第１のキャパシター２７ａに保持された画像信号がローレベルである場合には、第１の制御用トランジスター２６ａはオフ状態とされ、第１の容量線９４と第１のキャパシター２７ａの他方の容量電極との間はオフ状態とされた第１の制御用トランジスター２６ａによって電気的に切断される。
【００５０】
第２の選択用トランジスター２４ｂは、アモルファス半導体を用いて、Ｎチャネル型のトランジスタとして形成されている。第２の選択用トランジスター２４ｂは、そのゲートが走査線４０に電気的に接続されており、そのソースが第２データ線５２に電気的に接続されており、そのドレインが第２のキャパシター２７ｂに電気的に接続されている。第２の選択用トランジスター２４ｂは、データ線駆動回路７０（図１参照）から第２データ線５２を介して供給される反転画像信号を、走査線駆動回路６０（図１参照）から走査線４０を介してパルス的に供給される走査信号に応じたタイミングで、第２のキャパシター２７ｂに入力する。これにより、第２のキャパシター２７ｂに反転画像信号が書き込まれる。
【００５１】
第２のキャパシター２７ｂは、反転画像信号を保持するための容量素子である。第２のキャパシター２７ｂの一方の容量電極は、第２の選択用トランジスター２４ｂのドレイン及び第２の制御用トランジスター２６ｂのゲートに電気的に接続されている。第２のキャパシター２７ｂの他方の容量電極は、第２の容量線９５に電気的に接続されている。
【００５２】
第２の制御用トランジスター２６ｂは、アモルファス半導体を用いて、Ｎチャネル型のトランジスタとして形成されている。第２の制御用トランジスター２６ｂは、そのゲートが第２のキャパシター２７ｂの一方の容量電極及び第２の選択用トランジスター２４ｂのドレインに電気的に接続されており、そのソースが第２の容量線９５に電気的に接続されており、そのドレインが第１のキャパシター２７ａの他方の容量電極に電気的に接続されている。第２の制御用トランジスター２６ｂは、容量線駆動回路２１０（図１参照）から第２の容量線９５を介して供給される第２の容量電位Ｖｃ２を、第２のキャパシター２７ｂに保持された反転画像信号の電位に応じて、第１のキャパシター２７ａの他方の容量電極に出力する。例えば、第２のキャパシター２７ｂに保持された反転画像信号がハイレベルである場合には、第２の制御用トランジスター２６ｂはオン状態とされ、第２の容量線９５から第２の容量電位Ｖｃ２が、オン状態とされた第２の制御用トランジスター２６ｂを介して第１のキャパシター２７ａの他方の容量電極に供給される。一方、第２のキャパシター２７ｂに保持された反転画像信号がローレベルである場合には、第２の制御用トランジスター２６ｂはオフ状態とされ、第２の容量線９５と第１のキャパシター２７ａの他方の容量電極との間はオフ状態とされた第２の制御用トランジスター２６ｂによって電気的に切断される。
【００５３】
ここで、本実施形態では、上述したように、第１の選択用トランジスター２４ａ、第２の選択用トランジスター２４ｂ、第１の制御用トランジスター２６ａ及び第２の制御用トランジスター２６ｂの各々は、Ｎチャネル型のトランジスタとして形成されている。よって、第１の選択用トランジスター２４ａ、第２の選択用トランジスター２４ｂ、第１の制御用トランジスター２６ａ及び第２の制御用トランジスター２６ｂを、アモルファス半導体を用いて容易に形成することが可能である。よって、電気泳動表示装置１の製造コストを低減できると共に、電気泳動表示装置１の信頼性を向上させることができる。
【００５４】
尚、このように本実施形態では、第１の選択用トランジスター２４ａ、第２の選択用トランジスター２４ｂ、第１の制御用トランジスター２６ａ及び第２の制御用トランジスター２６ｂ（以下、これらのトランジスタを「トランジスター２４ａ、２４ｂ、２６ａ及び２６ｂ」と適宜称する）の各々が、Ｎチャネル型のトランジスタとして形成される例を挙げているが、本実施形態の変形例として、トランジスター２４ａ、２４ｂ、２６ａ及び２６ｂの各々は、Ｐチャネル型のトランジスタとして形成されてもよい。この場合には、トランジスター２４ａ、２４ｂ、２６ａ及び２６ｂの全てをＰチャネル型のトランジスタとして容易に形成することができるので、製造コストを低減できると共に、信頼性を向上させることができる。
【００５５】
また、トランジスター２４ａ、２４ｂ、２６ａ及び２６ｂの各々は、シリコン等の無機半導体材料を含んでなる無機トランジスタとして形成されてもよいし、有機半導体材料を含んでなる有機トランジスタとして形成されてもよい。
【００５６】
トランジスター２４ａ、２４ｂ、２６ａ及び２６ｂを有機トランジスタとして形成する場合には、有機半導体材料としては、例えば、ポリ（３−アルキルチオフェン）、ポリ（３−ヘキシルチオフェン）（Ｐ３ＨＴ）、ポリ（３−オクチルチオフェン）、ポリ（２，５−チエニレンビニレン）（ＰＴＶ）、ポリ（パラ−フェニレンビニレン）（ＰＰＶ）、ポリ（９，９−ジオクチルフルオレン）（ＰＦＯ）、ポリ（９，９−ジオクチルフルオレン−コ−ビス−Ｎ，Ｎ’−（４−メトキシフェニル）−ビス−Ｎ，Ｎ’−フェニル−１，４−フェニレンジアミン）（ＰＦＭＯ）、ポリ（９，９−ジオクチルフルオレン−コ−ベンゾチアジアゾール）（ＢＴ）、フルオレン−トリアリルアミン共重合体、トリアリルアミン系ポリマー、ポリ（９，９−ジオクチルフルオレン−コ−ジチオフェン）（Ｆ８Ｔ２）のようなフルオレン−ビチオフェン共重合体等のポリマー有機半導体材料、またＣ６０、あるいは、金属フタロシアニンあるいはそれらの置換誘導体、あるいは、アントラセン、テトラセン、ペンタセン、ヘキサセン等のアセン分子材料、あるいは、α−オリゴチオフェン類、具体的にはクォーターチオフェン（４Ｔ）、セキシチオフェン（６Ｔ）、オクタチオフェンのような低分子系有機半導体のうち１種または２種以上を混合して用いることができる。
【００５７】
また、これら有機半導体材料を成膜してトランジスター２４ａ、２４ｂ、２６ａ及び２６ｂの半導体部を形成する方法としては、蒸着法、ＣＶＤ（Chemical Vapor Deposition）法、キャスト法、引き上げ法、ラングミュアブロジェット法、スプレー法、インクジェット法、シルクスクリーン法等の一般的な成膜方法を用いることができる。
【００５８】
図２において、第１の容量線９４及び第２の容量線９５は、容量線駆動回路２１０からそれぞれ第１の容量電位Ｖｃ１及び第２の容量電位Ｖｃ２が供給可能に構成されている。第１の容量線９４は、スイッチ９４ｓを介して容量線駆動回路２１０に電気的に接続されており、第２の容量線９５は、スイッチ９５ｓを介して容量線駆動回路２１０に電気的に接続されている。スイッチ９４ｓ及び９５ｓは、コントローラー１０によってオン状態とオフ状態とが切り替えられるように構成されている。スイッチ９４ｓがオン状態とされることで、第１の容量線９４と容量線駆動回路２１０とが電気的に接続され、スイッチ９４ｓがオフ状態とされることで、第１の容量線９４は電気的に切断されたハイインピーダンス状態とされる。スイッチ９５ｓがオン状態とされることで、第２の容量線９５と容量線駆動回路２１０とが電気的に接続され、スイッチ９５ｓがオフ状態とされることで、第２の容量線９５は電気的に切断されたハイインピーダンス状態とされる。
【００５９】
第１の制御用トランジスター２６ａは第１のキャパシター２７ａに保持された画像信号によってオン状態及びオフ状態が切り替えられ、第２の制御用トランジスター２６ｂは第２のキャパシター２７ｂに保持された反転画像信号（即ち、画像信号の２値的なレベルを反転させた信号）によってオン状態及びオフ状態が切り替えられるので、第１の制御用トランジスター２６ａと第２の制御用トランジスター２６ｂとではオン状態及びオフ状態が互いに異なる。即ち、第１の制御用トランジスター２６ａがオン状態の場合には、第２の制御用トランジスター２６ｂはオフ状態となり、第１の制御用トランジスター２６ａがオフ状態の場合には、第２の制御用トランジスター２６ｂはオン状態となる。よって、複数の画素２０の各々の第１のキャパシター２７ａの他方の容量電極は、第１のキャパシター２７ａに保持された画像信号及び第２のキャパシター２７ｂに保持された反転画像信号に応じて、第１の容量線９４又は第２の容量線９５に択一的に電気的に接続される。この際、複数の画素２０の各々の第１のキャパシター２７ａの他方の容量電極は、スイッチ９４ｓ又は９５ｓのオンオフ状態に応じて、容量線駆動回路２１０から第１の容量電位Ｖｃ１又は第２の容量電位Ｖｃ２が供給される、或いはハイインピーダンス状態とされる。
【００６０】
より具体的には、ハイレベルの画像信号が供給される（言い換えれば、ローレベルの反転画像信号が供給される）画素２０については、第１の制御用トランジスター２６ａ及び第２の制御用トランジスター２６ｂのうち第１の制御用トランジスター２６ａのみがオン状態となり、その画素２０の第１のキャパシター２７ａの他方の容量電極は、第１の容量線９４に電気的に接続され、スイッチ９４ｓのオンオフ状態に応じて容量線駆動回路２１０から第１の容量電位Ｖｃ１が供給され、又は、ハイインピーダンス状態とされる。一方、ローレベルの画像信号が供給される（言い換えれば、ハイレベルの反転画像信号が供給される）画素２０については、第１の制御用トランジスター２６ａ及び第２の制御用トランジスター２６ｂのうち第２の制御用トランジスター２６ｂのみがオン状態となり、その画素２０の画素電極２１は、第２の容量線９５に電気的に接続され、スイッチ９５ｓのオンオフ状態に応じて容量線駆動回路２１０から第２の容量電位Ｖｃ２が供給され、又は、ハイインピーダンス状態とされる。
【００６１】
画素電極２１は、電気泳動素子２３を介して共通電極２２と互いに対向するように配置されている。
【００６２】
共通電極２２は、共通電位Ｖｃｏｍが供給される共通電位線９３に電気的に接続されている。共通電位線９３は、共通電位供給回路２２０（図１参照）から共通電位Ｖｃｏｍが供給可能に構成されている。共通電位線９３は、スイッチ９３ｓを介して共通電位供給回路２２０に電気的に接続されている。スイッチ９３ｓは、コントローラー１０によってオン状態とオフ状態とが切り替えられるように構成されている。スイッチ９３ｓがオン状態とされることで、共通電位線９３と共通電位供給回路２２０とが電気的に接続され、スイッチ９３ｓがオフ状態とされることで、共通電位線９３は電気的に切断されたハイインピーダンス状態とされる。
【００６３】
電気泳動素子２３は、電気泳動粒子をそれぞれ含んでなる複数のマイクロカプセルから構成されている。
【００６４】
次に、本実施形態に係る電気泳動表示装置の表示部の具体的な構成について、図３及び図４を参照して説明する。
【００６５】
図３は、本実施形態に係る電気泳動表示装置の表示部の部分断面図である。
【００６６】
図３において、表示部３は、素子基板２８と対向基板２９との間に電気泳動素子２３が挟持される構成となっている。尚、本実施形態では、対向基板２９側に画像を表示することを前提として説明する。
【００６７】
素子基板２８は、例えばガラスやプラスチック、シリコン等からなる基板である。素子基板２８上には、ここでは図示を省略するが、図２を参照して上述した第１の選択用トランジスター２４ａ、第２の選択用トランジスター２４ｂ、第１のキャパシター２７ａ、第２のキャパシター２７ｂ、第１の制御用トランジスター２６ａ、第２の制御用トランジスター２６ｂ、走査線４０、第１データ線５１、第２データ線５２、共通電位線９３、第１の容量線９４、第２の容量線９５等が作り込まれた積層構造が形成されている。この積層構造の上層側に複数の画素電極２１がマトリクス状に設けられている。
【００６８】
対向基板２９は、例えばガラスやプラスチック等からなる透明な基板である。対向基板２９における素子基板２８との対向面上には、共通電極２２が複数の画素電極２１と対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００６９】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されている。
【００７０】
マイクロカプセル８０は、画素電極２１及び共通電極２２間に挟持され、１つの画素２０内に（言い換えれば、１つの画素電極２１に対して）１つ又は複数配置されている。
【００７１】
図４は、マイクロカプセルの構成を示す模式図である。尚、図４では、マイクロカプセルの断面を模式的に示している。
【００７２】
図４において、マイクロカプセル８０は、被膜８５の内部に分散媒８１と、電気泳動粒子である複数の白色粒子８２と、複数の黒色粒子８３とが封入されてなる。マイクロカプセル８０は、例えば、５０ｕｍ程度の粒径を有する球状に形成されている。
【００７３】
被膜８５は、マイクロカプセル８０の外殻として機能し、ポリメタクリル酸メチル、ポリメタクリル酸エチル等のアクリル樹脂、ユリア樹脂、アラビアガム等の透光性を有する高分子樹脂から形成されている。
【００７４】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００７５】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００７６】
黒色粒子８３は、例えば、アニリンブラック、カーボンブラック等の黒色顔料からなる粒子（高分子或いはコロイド）であり、例えば正に帯電されている。
【００７７】
このため、白色粒子８２及び黒色粒子８３は、画素電極２１と共通電極２２との間の電位差によって発生する電場によって、分散媒８１中を移動することができる。
【００７８】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００７９】
図３及び図４において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）に白色粒子８２が集まることで、表示部３の表示面にこの白色粒子８２の色（即ち、白色）を表示することができる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側に黒色粒子８３が集まることで、表示部３の表示面にこの黒色粒子８３の色（即ち、黒色）を表示することができる。
【００８０】
更に、画素電極２１及び共通電極２２間における白色粒子８２及び黒色粒子８３の分布状態によって、白色と黒色との中間階調である、ライトグレー、グレー、ダークグレー等の灰色を表示することも可能である。また、白色粒子８２、黒色粒子８３に用いる顔料を、例えば赤色、緑色、青色等の顔料に代えることによって、赤色、緑色、青色等のカラー表示も可能となる。
【００８１】
次に、本実施形態に係る電気泳動表示装置の表示動作の一例について、図１及び図２に加えて図５から図９を参照して説明する。
【００８２】
図５は、本実施形態に係る電気泳動表示装置の表示動作の一例を説明するためのフローチャートである。図６及び図７は、本実施形態に係る電気泳動表示装置の表示動作の一例を示すタイミングチャートである。
【００８３】
図５及び図６において、先ず、走査線駆動回路６０、容量線駆動回路２１０、共通電位供給回路２２０等の各回路の電源がオンされる（ステップＳ１０）。これにより、ハイインピーダンス状態（ＨｉＺ）であった走査線４０、共通電位線９３、第１の容量線９４や第２の容量線９５に、期間Ｔ１においてグランド電位ＧＮＤ（例えば０Ｖ）が印加される。この際、スイッチ９３ｓ、９４ｓ及び９５ｓはコントローラー１０によってオン状態とされている。
【００８４】
次に、第１のキャパシター２７ａに画像信号を書き込むと共に、第２のキャパシター２７ｂに反転画像信号を書き込む（ステップＳ２０）。即ち、期間Ｔ１に続く期間Ｔ２において、走査線駆動回路６０からパルス状の走査信号が走査線Ｙ１、Ｙ２、…、Ｙｍに順次に供給され、且つ、走査信号に応じて走査線Ｙ１、Ｙ２、…、Ｙｍのうち一の走査線に対応する一行の画素２０が選択される期間において、データ線駆動回路７０から複数の第１データ線５１（即ち、第１データ線Ｘ１ａ、Ｘ２ａ、…、Ｘｎａ）に画像信号が供給されると共に複数の第２データ線５２（即ち、第２データ線Ｘ１ｂ、Ｘ２ｂ、…、Ｘｎｂ）に反転画像信号が供給される。これにより、各画素２０では、第１の選択用トランジスター２４ａ及び第２の選択用トランジスター２４ｂが走査信号に応じてオン状態とされ、第１データ線５１から第１の選択用トランジスター２４ａを介して第１のキャパシター２７ａに画像信号が書き込まれると共に、第２データ線５２から第２の選択用トランジスター２４ｂを介して第２のキャパシター２７ｂに反転画像信号が書き込まれる。尚、画像信号は、ハイレベル（Ｈｉレベル）として所定電位Ｖ０（例えば５Ｖ）をとり、ローレベル（Ｌｏレベル）としてグラント電位ＧＮＤ（例えば０Ｖ）をとる。また、図６及び図７に示すように、走査信号は、第１の選択用トランジスター２４ａ及び第２の選択用トランジスター２４ｂをオン状態とする電位レベルである選択状態レベルとして所定電位Ｖｓｃｎをとり、第１の選択用トランジスター２４ａ及び第２の選択用トランジスター２４ｂをオフ状態とする電位レベルである非選択状態レベルとしてグランド電位ＧＮＤをとる。また、共通電位Ｖｃｏｍは、グランド電位ＧＮＤで一定とされる。
【００８５】
ここで、第１のキャパシター２７ａにハイレベルの画像信号が書き込まれると共に第２のキャパシター２７ｂにローレベルの反転画像信号が書き込まれると、第１のキャパシター２７ａにハイレベルの画像信号が保持されている期間（或いは第２のキャパシター２７ｂにローレベルの反転画像信号が保持されている期間）中は、第１の制御用トランジスター２６ａはオン状態となり、且つ、第２の制御用トランジスター２６ｂはオフ状態となる。一方、第１のキャパシター２７ａにローレベルの画像信号が書き込まれると共に第２のキャパシター２７ｂにハイレベルの反転画像信号が書き込まれると、第１のキャパシター２７ａにローレベルの画像信号が保持されている期間（或いは第２のキャパシター２７ｂにハイレベルの反転画像信号が保持されている期間）中は、第１の制御用トランジスター２６ａはオフ状態となり、且つ、第２の制御用トランジスター２６ｂはオン状態となる。
【００８６】
即ち、各画素２０では、第１のキャパシター２７ａに保持された画像信号（及び第２のキャパシター２７ｂに保持された反転画像信号）に応じて、第１の制御用トランジスター２６ａ及び第２の制御用トランジスター２６ｂのうち一方が択一的にオン状態となる。
【００８７】
図８は、ハイレベルの画像信号が書き込まれる画素における画素電極の電位を説明するための模式図であり、図９は、ローレベルの画像信号が書き込まれる画素における画素電極の電位を説明するための模式図である。
【００８８】
図６及び図８において、ハイ（Ｈｉ）レベルの画像信号（即ち、所定電位Ｖ０の画像信号）が書き込まれる画素２０では、期間Ｔ２において第１のキャパシター２７ａにハイレベルの画像信号が書き込まれることにより、期間Ｔ１においてグランド電位ＧＮＤであった画素電極２１の電位Ｖｐｉｘは、期間Ｔ２において所定電位Ｖ０となる。
【００８９】
一方、図６及び図９において、ロー（Ｌｏ）レベルの画像信号（即ち、グランド電位ＧＮＤの画像信号）が書き込まれる画素２０では、期間Ｔ２において第１のキャパシター２７ａにローレベルの画像信号が書き込まれることにより、期間Ｔ１においてグランド電位ＧＮＤであった画素電極２１の電位Ｖｐｉｘは、期間Ｔ２においてもグランド電位ＧＮＤで維持される。
【００９０】
再び図５及び図６において、第１のキャパシター２７ａに画像信号を書き込むと共に、第２のキャパシター２７ｂに反転画像信号を書き込んだ（ステップＳ２０）後に、容量線駆動回路２１０によって、第１の容量電位Ｖｃ１をグランド電位ＧＮＤから所定電位Ｖ１（例えば１０Ｖ）に上昇させると共に第２の容量電位Ｖｃ２をグランド電位ＧＮＤで維持する（ステップＳ３０）。即ち、容量線駆動回路２１０は、第１の容量線９４に、期間Ｔ１及びＴ２においてグランド電位ＧＮＤを供給し、期間Ｔ２の後の期間Ｔ３において所定電位Ｖ１を供給すると共に、第２の容量線９５に、期間Ｔ１及びＴ２においてグランド電位ＧＮＤを供給し、期間Ｔ２の後の期間Ｔ３においてもグランド電位ＧＮＤを供給する。より具体的には、図７に示すように、容量線駆動回路２１０は、期間Ｔ２において走査線Ｙｋ（但し、ｋ＝１、…、ｍ）の電位が選択状態レベルである所定電位Ｖｓｃｎから非選択状態レベルであるグランド電位ＧＮＤに変化した時点から所定期間Δｔ１後に、第１の容量線ＣＬａｋ（但し、ｋ＝１、…、ｍ）の電位がグランド電位ＧＮＤから所定電位Ｖ１に変化するように、第１の容量線９４（即ち、ＣＬａ１、…、ＣＬａｍ）を駆動する。更に、容量線駆動回路２１０は、第２の容量線９５をグランド電位ＧＮＤで維持する。尚、本実施形態では、第２の容量線９５の電位が容量線駆動回路２１０によってグランド電位ＧＮＤで維持されるように構成したが、第２の容量線９５の電位は、容量線駆動回路２１０とは別個の電源回路によってグランド電位ＧＮＤに維持されてもよい。
【００９１】
図６及び図８において、ハイ（Ｈｉ）レベルの画像信号（即ち、所定電位Ｖ０の画像信号）が書き込まれる画素２０では、上述したように、第１の制御用トランジスター２６ａはオン（ＯＮ）状態となり、且つ、第２の制御用トランジスター２６ｂはオフ（ＯＦＦ）状態となる。よって、第１のキャパシター２７ａの他方の容量電極（即ち、第１のキャパシター２７ａを構成する一対の容量電極のうち画素電極２１に電気的に接続された一方の容量電極とは異なる容量電極）は、第１の容量線９４に電気的に接続され、第２の容量線９５とは電気的に切断される。従って、ハイレベルの画像信号が書き込まれる画素２０では、第１のキャパシター２７ａの他方の容量電極に、オン状態とされた第１の制御用トランジスター２７ａを介して第１の容量線９４から第１の容量電位Ｖｃ１が供給される。
【００９２】
ここで、容量線駆動回路２１０は、上述したように、第１の容量電位Ｖｃ１をグランド電位ＧＮＤから所定電位Ｖ１（例えば１０Ｖ）に上昇させる。これより、ハイレベルの画像信号が書き込まれる画素２０では、第１のキャパシター２７ａの他方の容量電極は、第１の容量線９４に電気的に接続されているので、グランド電位ＧＮＤから所定電位Ｖ１に上昇する。このような第１のキャパシター２７ａの他方の容量電極の電位の上昇に伴って、第１のキャパシター２７ａの一方の容量電極の電位も上昇する。よって、第１のキャパシター２７ａの一方の容量電極に電気的に接続された画素電極２１の電位を高めることができる。
【００９３】
より具体的には、ハイレベルの画像信号が書き込まれる画素２０では、期間Ｔ２において、第１のキャパシター２７ａにハイレベルの画像信号（所定電位Ｖ０の画像信号）が書き込まれることにより、画素電極２１の電位Ｖｐｉｘは所定電位Ｖ０となり、期間Ｔ３において、第１のキャパシター２７ａの他方の容量電極の電位がグランド電位ＧＮＤから所定電位Ｖ１に上昇し、第１のキャパシター２７ａに蓄積されていた電荷が、第１の選択用トランジスター２４ａの寄生容量Ｃｄｇ、第１の制御用トランジスター２６ａの寄生容量Ｃｓｗ１、電気泳動素子２３の寄生容量Ｃｅｐｄ及び第１のキャパシター２７ａの静電容量Ｃｓ１に再分配されることにより、画素電極２１の電位Ｖｐｉｘは以下の式で表される電位となる。
【００９４】
Ｖ０＋Ｋ×Ｖ１
但し、Ｋ＝Ｃｓ１／（Ｃｓ１＋Ｃｓｗ１＋Ｃｅｐｄ＋Ｃｄｇ）
つまり、ハイレベルの画像信号が書き込まれる画素２０では、容量線駆動回路２１０によって第１の容量電位Ｖｃ１をグランド電位ＧＮＤから所定電位Ｖ１（例えば１０Ｖ）に上昇させることにより、画素電極２１の電位Ｖｐｉｘを所定電位Ｖ０（例えば５Ｖ）から電位Ｋ×Ｖ１だけ高めることができる。
【００９５】
一方、図６及び図９において、ロー（Ｌｏ）レベルの画像信号（即ち、グランド電位ＧＮＤの画像信号）が書き込まれる画素２０では、上述したように、第１の制御用トランジスター２６ａはオフ（ＯＦＦ）状態となり、且つ、第２の制御用トランジスター２６ｂはオン（ＯＮ）状態となる。よって、第１のキャパシター２７ａの他方の容量電極は、第１の容量線９４とは電気的に切断され、第２の容量線９５に電気的に接続される。従って、ローレベルの画像信号が書き込まれる画素２０では、第１のキャパシター２７ａの他方の容量電極に、オン状態とされた第２の制御用トランジスター２６ｂを介して第２の容量線９４から第２の容量電位Ｖｃ２が供給される。
【００９６】
ここで、容量線駆動回路２１０は、上述したように、期間Ｔ１からＴ３において、第２の容量電位Ｖｃ２をグランド電位ＧＮＤで維持する。これより、ローレベルの画像信号が書き込まれる画素２０では、第１のキャパシター２７ａの他方の容量電極は、第２の容量線９５に電気的に接続されているので、グランド電位ＧＮＤで一定となる。よって、第１のキャパシター２７ａの一方の容量電極の電位もグランド電位ＧＮＤで一定となり、第１のキャパシター２７ａの一方の容量電極に電気的に接続された画素電極２１もグランド電位ＧＮＤで一定とすることができる。
【００９７】
つまり、ローレベルの画像信号が書き込まれる画素２０では、容量線駆動回路２１０によって第２の容量電位Ｖｃ２をグランド電位ＧＮＤで維持することにより、画素電極２１の電位Ｖｐｉｘをグランド電位ＧＮＤで一定とすることができる。よって、ローレベルの画像信号が書き込まれる画素２０では、画素電極２１と、共通電位Ｖｃｏｍとしてグランド電位ＧＮＤが供給される共通電極２２との間で電位差を生じないようにすることができる。
【００９８】
このように本実施形態では特に、図８に示すハイレベルの画像信号が書き込まれる画素２０では、容量線駆動回路２１０によって第１の容量電位Ｖｃ１をグランド電位ＧＮＤから所定電位Ｖ１（例えば１０Ｖ）に上昇させることにより、画素電極２１の電位Ｖｐｉｘを所定電位Ｖ０（例えば５Ｖ）から電位Ｋ×Ｖ１だけ高めることができるので、データ線５１が供給する画像信号の電位を低くすることが可能となる。よって、高い周波数で駆動されるデータ線５１が供給する画像信号の電位を低くすることができるので、当該電気泳動表示装置１の低消費電力化を図ることが可能となる。
【００９９】
更に本実施形態では特に、図８に示すハイレベルの画像信号が書き込まれる画素２０では、容量線駆動回路２１０によって第１の容量電位Ｖｃ１をグランド電位ＧＮＤから所定電位Ｖ１（例えば１０Ｖ）に上昇させることにより、画素電極２１の電位Ｖｐｉｘを所定電位Ｖ０（例えば５Ｖ）から電位Ｋ×Ｖ１だけ高めることができると共に、図９に示すローレベルの画像信号が書き込まれる画素２０では、容量線駆動回路２１０によって第２の容量電位Ｖｃ２をグランド電位ＧＮＤで維持することにより、画素電極２１の電位Ｖｐｉｘをグランド電位ＧＮＤで一定とすることができるので、表示画像のコントラストの低下は殆ど或いは全く生じない。よって、高品位な画像を表示することが可能となる。
【０１００】
再び図５及び図６において、期間Ｔ３において表示すべき画像が表示部３に表示されると、走査線駆動回路６０、容量線駆動回路２１０、共通電位供給回路２２０等の各回路の電源がオフされる（ステップＳ４０）。これにより、期間Ｔ３に続く期間Ｔ４において、走査線４０や、画素電極２１、第１の容量線９４、第２の容量線９５、共通電線９３等の各種配線及び各種素子はハイインピーダンス状態（ＨｉＺ）とされる。これにより、画素電極２１と共通電極２２との間には電界が生じなくなるため、マイクロカプセル８０内の粒子は、次に新たな電界が生じるまで移動しなくなる。従って、表示部３において画像の表示が維持される。
【０１０１】
以上説明したように、本実施形態に係る電気泳動表示装置１によれば、高品位な画像を表示できると共に、低消費電力化を図ることができる。
【０１０２】
＜第２実施形態＞
第２実施形態に係る電気泳動表示装置について、図１０を参照して説明する。
【０１０３】
図１０は、第２実施形態に係る電気泳動表示装置における走査線及び第１の容量線の各々の電位の変動を示すタイミングチャートである。
【０１０４】
第２実施形態に係る電気泳動表示装置は、容量線駆動回路２１０が第１の容量電位Ｖｃ１として走査信号と相補関係にある電位信号を第１の容量線９４に供給する点で、上述した第１実施形態に係る電気泳動表示装置と異なり、その他の点については、上述した第１実施形態に係る電気泳動表示装置と概ね同様に構成されている。
【０１０５】
図１０において、第２実施形態では特に、容量線駆動回路２１０は、第１の容量電位Ｖｃ１として走査信号と相補関係にある電位信号を第１の容量線９４に供給する。即ち、第２実施形態では、第１の容量線９４の電位（即ち、第１の容量電位Ｖｃ１）は、走査線４０の電位（即ち、走査信号の電位）がグランド電位ＧＮＤ（即ち、非選択状態レベル）である期間中には、所定電位Ｖ１（例えば１０Ｖ）となり、走査線４０の電位が所定電位Ｖｓｃｎ（即ち、選択状態レベル）である期間中には、グランド電位ＧＮＤとなる。
【０１０６】
よって、上述した第１実施形態と同様に、ハイレベルの画像信号が供給された画素２０の画素電極の電位を確実に高めることができる。更に、第２実施形態に係る第１の容量電位Ｖｃ１は走査信号と相補関係にあるので、例えば上述した第１実施形態と比較して、第１の容量電位Ｖｃ１の電位信号を作りやすいという実践上のメリットがある。
【０１０７】
＜第３実施形態＞
第３実施形態に係る電気泳動表示装置について、図１１から図１４を参照して説明する。
【０１０８】
図１１は、第３実施形態に係る電気泳動表示装置の表示動作の一例を説明するためのフローチャートである。図１２は、第３実施形態に係る電気泳動表示装置の表示動作の一例を示すタイミングチャートである。図１３は、第３実施形態における、ハイレベルの画像信号が書き込まれる画素における画素電極の電位を説明するための模式図であり、図１４は、第３実施形態における、ローレベルの画像信号が書き込まれる画素における画素電極の電位を説明するための模式図である。尚、図１１から図１４において、図１から図９に示した第１実施形態に係る構成要素及び処理動作と同様の構成要素及び処理動作に同一の参照符合を付し、それらの説明は適宜省略する。
【０１０９】
第３実施形態に係る電気泳動表示装置は、画像信号がハイ（Ｈｉ）レベルとして所定電位Ｖ０（例えば５Ｖ）をとり、ロー（Ｌｏ）レベルとして所定電位−Ｖ２（例えば−１０Ｖ）をとる点、及び第１のキャパシター２７ａに画像信号を書き込むと共に、第２のキャパシター２７ｂに反転画像信号を書き込んだ（ステップＳ２０）後に、容量線駆動回路２１０によって、第１の容量電位Ｖｃ１をグランド電位ＧＮＤから所定電位Ｖ１（例えば１０Ｖ）に上昇させると共に第２の容量電位Ｖｃ２をグランド電位ＧＮＤから所定電位−Ｖ３（例えば−５Ｖ）に下降させる（ステップＳ３０ｃ）点で、上述した第１実施形態に係る電気泳動表示装置と異なり、その他の点については、上述した第１実施形態に係る電気泳動表示装置と概ね同様に構成されている。
【０１１０】
図１１及び図１２において、第１のキャパシター２７ａに画像信号が書き込まれると共に、第２のキャパシター２７ｂに反転画像信号が書き込まれる（ステップＳ２０）。
【０１１１】
図１２及び図１３において、ハイ（Ｈｉ）レベルの画像信号（即ち、所定電位Ｖ０の画像信号）が書き込まれる画素２０では、期間Ｔ２において第１のキャパシター２７ａにハイレベルの画像信号が書き込まれることにより、期間Ｔ１においてグランド電位ＧＮＤであった画素電極２１の電位Ｖｐｉｘは、期間Ｔ２において所定電位Ｖ０となる。
【０１１２】
一方、図１２及び図１４において、ロー（Ｌｏ）レベルの画像信号（即ち、所定電位−Ｖ２の画像信号）が書き込まれる画素２０では、期間Ｔ２において第１のキャパシター２７ａにローレベルの画像信号が書き込まれることにより、期間Ｔ１においてグランド電位ＧＮＤであった画素電極２１の電位Ｖｐｉｘは、期間Ｔ２において所定電位−Ｖ２となる。
【０１１３】
次に、図１１及び図１２において、容量線駆動回路２１０によって、第１の容量電位Ｖｃ１をグランド電位ＧＮＤから所定電位Ｖ１（例えば１０Ｖ）に上昇させると共に第２の容量電位Ｖｃ２をグランド電位ＧＮＤから所定電位−Ｖ３（例えば−５Ｖ）に下降させる（ステップＳ３０ｃ）。即ち、容量線駆動回路２１０は、第１の容量線９４に、期間Ｔ１及びＴ２においてグランド電位ＧＮＤを供給し、期間Ｔ２の後の期間Ｔ３において所定電位Ｖ１を供給すると共に、第２の容量線９５に、期間Ｔ１及びＴ２においてグランド電位ＧＮＤを供給し、期間Ｔ２の後の期間Ｔ３において所定電位−Ｖ３を供給する。
【０１１４】
これにより、図１３に示すハイレベルの画像信号が書き込まれる画素２０では、容量線駆動回路２１０によって第１の容量電位Ｖｃ１をグランド電位ＧＮＤから所定電位Ｖ１（例えば１０Ｖ）に上昇させることにより、画素電極２１の電位Ｖｐｉｘを所定電位Ｖ０（例えば５Ｖ）から電位Ｋ×Ｖ１だけ高めることができると共に、図１４に示すローレベルの画像信号が書き込まれる画素２０では、容量線駆動回路２１０によって第２の容量電位Ｖｃ２をグランド電位ＧＮＤから所定電位−Ｖ３（例えば−５Ｖ）に下降させることにより、画素電極２１の電位Ｖｐｉｘを所定電位−Ｖ２（例えば−１０Ｖ）から電位Ｋ×Ｖ３（但し、Ｋ＝Ｃｓ１／（Ｃｓ１＋Ｃｓｗ１＋Ｃｅｐｄ＋Ｃｄｇ））だけ低めることができる。
【０１１５】
このように構成された第３実施形態に係る電気泳動表示装置によれば、ハイレベルの画像信号が供給される画素２０とローレベルの画像信号が供給される画素２０との両方において画素電極２１及び共通電極２２間に電圧を同時に印加することができるので、表示部３における画像の書き換えを迅速に行うことが可能となる。更に、ハイレベルの画像信号が書き込まれる画素２０では、容量線駆動回路２１０によって第１の容量電位Ｖｃ１をグランド電位ＧＮＤから所定電位Ｖ１（例えば１０Ｖ）に上昇させることにより、画素電極２１の電位Ｖｐｉｘを所定電位Ｖ０（例えば５Ｖ）から電位Ｋ×Ｖ１だけ高めることができると共に、ローレベルの画像信号が書き込まれる画素２０では、容量線駆動回路２１０によって第２の容量電位Ｖｃ２をグランド電位ＧＮＤから所定電位−Ｖ３（例えば−５Ｖ）に下降させることにより、画素電極２１の電位Ｖｐｉｘを所定電位−Ｖ２（例えば−１０Ｖ）から電位Ｋ×Ｖ３だけ低めることができるので、データ線５１が供給する画像信号の電圧（即ち、電位振幅）を低くすることが可能となる。よって、高い周波数で駆動されるデータ線５１が供給する画像信号の電圧を低くすることができるので、当該電気泳動表示装置の低消費電力化を図ることが可能となる。加えて、ハイレベルの画像信号が書き込まれる画素２０では、上述したように、画素電極２１の電位Ｖｐｉｘを所定電位Ｖ０から電位Ｋ×Ｖ１だけ高めることができると共に、ローレベルの画像信号が書き込まれる画素２０では、上述したように、画素電極２１の電位Ｖｐｉｘを所定電位−Ｖ２（例えば−１０Ｖ）から電位Ｋ×Ｖ３だけ低めることができるので、表示画像のコントラストを高めることもできる。よって、高品位な画像を表示することが可能となる。
【０１１６】
尚、画像信号がロー（Ｌｏ）レベルとしてとる所定電位−Ｖ２は、本実施形態のように、第２の容量電位Ｖｃ２がとる所定電位−Ｖ３より低いことが好ましい。即ち、関係式  所定電位−Ｖ２＜所定電位−Ｖ３  が成立することが好ましい。この場合には、画素２０にハイレベルの画像信号が供給された際、第１の制御用トランジスター２６ａ及び第２の制御用トランジスター２６ｂの両方がオン状態となって、第１の容量線９４及び第２の容量線９５間が電気的にショートしてしまうのを防止することができる。尚、例えば、仮に、所定電位−Ｖ２が所定電位−Ｖ３より高い場合（例えば、所定電位−Ｖ２が−５Ｖであり、所定電位−Ｖ３が−１０Ｖである場合）には、ハイレベルの画像信号が供給される画素２０では、第１の制御用トランジスター２６ａがハイレベルの画像信号に応じてオン状態となると共に、第２の制御用トランジスター２６ｂがローレベルの反転画像信号（例えば−５Ｖ）に応じてオン状態となってしまう。ここで、第２の制御用トランジスター２６ｂのゲート電位Ｖｇが例えば−５Ｖであって、第２の容量電位Ｖｃ２（言い換えれば、第２の制御用トランジスター２６ｂのソース電位Ｖｓ）が例えば−１０Ｖである場合には、ゲート電位Ｖｇがソース電位Ｖｓよりも高いので第２の制御用トランジスター２６ｂはオン状態となる。
【０１１７】
＜電子機器＞
次に、上述した電気泳動表示装置を適用した電子機器について、図１５及び図１６を参照して説明する。以下では、上述した電気泳動表示装置を電子ペーパー及び電子ノートに適用した場合を例にとる。
【０１１８】
図１５は、電子ペーパー１４００の構成を示す斜視図である。
【０１１９】
図１５に示すように、電子ペーパー１４００は、上述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１２０】
図１６は、電子ノート１５００の構成を示す斜視図である。
【０１２１】
図１６に示すように、電子ノート１５００は、図１５で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１２２】
上述した電子ペーパー１４００及び電子ノート１５００は、上述した実施形態に係る電気泳動表示装置を備えるので、消費電力が小さく、高品質な画像表示を行うことが可能である。
【０１２３】
尚、これらの他に、腕時計、携帯電話、携帯用オーディオ機器などの電子機器の表示部に、上述した本実施形態に係る電気泳動表示装置を適用することができる。
【０１２４】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置及び該電気泳動表示装置の駆動方法、並びに該電気泳動表示装置を備える電子機器もまた本発明の技術的範囲に含まれるものである。
【符号の説明】
【０１２５】
１０…コントローラー、２０…画素、２１…画素電極、２２…共通電極、２３…電気泳動素子、２４ａ…第１の選択用トランジスター、２４ｂ…第２の選択用トランジスター、２６ａ…第１の制御用トランジスター、２６ｂ…第２の制御用トランジスター、２７ａ…第１のキャパシター、２７ｂ…第２のキャパシター、２８…素子基板、２９…対向基板、４０…走査線、５１…第１データ線、５２…第２データ線、６０…走査線駆動回路、７０…データ線駆動回路、９３…共通電位線、９４…第１の容量線、９５…第２の容量線、２１０…容量線駆動回路、２２０…共通電位供給回路
【図１】
2011141390.tif 000003
【図２】
2011141390.tif 000004
【図３】
2011141390.tif 000005
【図４】
2011141390.tif 000006
【図５】
2011141390.tif 000007
【図６】
2011141390.tif 000008
【図７】
2011141390.tif 000009
【図８】
2011141390.tif 000010
【図９】
2011141390.tif 000011
【図１０】
2011141390.tif 000012
【図１１】
2011141390.tif 000013
【図１２】
2011141390.tif 000014
【図１３】
2011141390.tif 000015
【図１４】
2011141390.tif 000016
【図１５】
2011141390.tif 000017
【図１６】
2011141390.tif 000018